(57)【特許請求の範囲】
【請求項１】
靴底と、周縁部分が靴底と中底との間に固定された甲覆い革とを有し、甲覆い革は芯材が装着されたつま先を覆う部分と、開閉可能な履き口部とからなり、履き口部は脚挿入口と、この脚挿入口の開口を開くための切り込み部と、当該切り込み部を開閉するとともに切り込み部を閉じた状態に保持する締め具を備えてなる安全靴において、
締め具は、切り込み部で左右に分離された甲覆い部分の一方に基部が固定され他方に掛け渡されたバンドと、バンドの先端部を着脱可能にする面ファスナを備えてなり、
当該締め具を切り込み部の長手方向にずれて３箇所設けるとともに、前記バンドの締め付け方向を、前記長手方向に直交する方向で、かつ前記３箇所の間で交互に異ならせ、さらに前記３箇所の内の、脚挿入口側の２箇所はバンドを甲覆い部分の他方に設けた折り返し環を挿通して一方の側に折り返して面ファスナで固定し、つま先側の１箇所はバンドをそのまま甲覆い部分の他方に設けた面ファスナで固定したことを特徴とする安全靴。
【発明の詳細な説明】
【技術分野】
【０００１】
工事現場で働く人や宅配業の荷物や商品の運送者等が主として履く、安全靴に関するものである。
【背景技術】
【０００２】
こうした種類の安全靴として例えば、特許文献１に示すように、靴底と、周縁部分が靴底と中底との間に固定された甲覆い革とを有し、甲覆い革は芯材が装着されたつま先を覆う部分と、開閉可能な履き口部とを有し、履き口部は脚挿入口と、この脚挿入口の開口を開くための切り込みを脚挿入口と一連に形成するとともに、靴を履いた後、この切り込みを覆い、閉じた状態に保持する１枚の舌状の締め具を切り込み部分に設けてある。
【０００３】
従来の安全靴の締め具は、切り込み部分の両サイドに鳩目を設け、この両鳩目を縫うように交差させた紐で構成されていたが、着脱に手間がかかることから、近年、紐に代えて面ファスナを利用したものが多くなっている。
つまり、上記の例では、１枚の舌状の締め具が、その一端部（基端部）が切り込みで左右に分離された一方の甲覆い部分に縫着され、遊端部分が、他方の甲覆い部分に面ファスナで貼り付けて取り付けられるようになっている。
このため、締め付け具の遊端側から他物があたったり、負荷や荷重が作用したりすると面ファスナが剥離しやすく、作業中に靴が緩んだり脱げたりする虞があり、安全性に問題があった。
【先行技術文献】
【特許文献】
【０００４】
【特許文献１】登録実用新案第３０４９４５７号公報
【発明の開示】
【発明が解決しようとする課題】
【０００５】
本発明は上記問題点に鑑み提案されたもので、作業中に不意に靴が脱げたり、ゆるんだりすることがない安全性の高い安全靴を提供できるようにすることを目的とするものである。
【課題を解決するための手段】
【０００６】
上記目的を達成するために、本発明にかかる安全靴は、靴底と、周縁部分が靴底と中底との間に固定された甲覆い革とを有し、甲覆い革は芯材が装着されたつま先を覆う部分と、開閉可能な履き口部とからなり、履き口部は脚挿入口と、この脚挿入口の開口を開くための切り込み部と、当該切り込み部を開閉するとともに切り込み部を閉じた状態に保持する締め具を備えてなる安全靴において、締め具は、切り込み部で左右に分離された甲覆い部分の一方に基部が固定され他方に掛け渡されたバンドと、バンドの先端部を着脱可能にする面ファスナを備えてなり、当該締め具を切り込み部の長手方向にずれて３箇所設けるとともに、前記バンドの締め付け方向を、前記長手方向に直交する方向で、かつ前記３箇所の間で交互に異ならせ、さらに前記３箇所の内の、脚挿入口側の２箇所はバンドを甲覆い部分の他方に設けた折り返し環を挿通して一方の側に折り返して面ファスナで固定し、つま先側の１箇所はバンドをそのまま甲覆い部分の他方に設けた面ファスナで固定したことを最も主要な特徴とするものである。
【発明の効果】
【０００８】
本発明にかかる安全靴によれば、靴底と、周縁部分が靴底と中底との間に固定された甲覆い革とを有し、甲覆い革は芯材が装着されたつま先を覆う部分と、開閉可能な履き口部とからなり、履き口部は脚挿入口と、この脚挿入口の開口を開くための切り込み部と、当該切り込み部を開閉するとともに切り込み部を閉じた状態に保持する締め具を備えてなる安全靴において、締め具は、切り込み部で左右に分離された甲覆い部分の一方に基部が固定され他方に掛け渡されたバンドと、バンドの先端部を着脱可能にする面ファスナを備えてなり、当該締め具を切り込み部の長手方向にずれて３箇所設けるとともに、前記バンドの締め付け方向を、前記長手方向に直交する方向で、かつ前記３箇所の間で交互に異ならせ、さらに前記３箇所の内の、脚挿入口側の２箇所はバンドを甲覆い部分の他方に設けた折り返し環を挿通して一方の側に折り返して面ファスナで固定し、つま先側の１箇所はバンドをそのまま甲覆い部分の他方に設けた面ファスナで固定してあるので、作業中、ある方向から靴の締め具に他物があたって当該方向から外せる締め具が外れてしまうような場合でも、他方から外せる締め具が切り込みが閉じている状態をしっかりと保持するので、作業中に安全靴が不意に脱げたりすることがない。
これにより、作業時の安全性を大幅に向上させることができる利点がある。
【図面の簡単な説明】
【０００９】
【図１】は本発明にかかる安全靴の平面図である。
【図２】は本発明にかかる安全靴の側面図である。
【図３】は本発明にかかる安全靴の正面図である。
【図４】は本発明にかかる安全靴の背面図である。
【図５】は本発明にかかる安全靴の底面図である。
【図６】は本発明にかかる安全靴の使用過程を示す平面図である。
【図７】は本発明にかかる安全靴の使用状態の斜視図である。
【発明を実施するための形態】
【００１０】
以下、本発明にかかる安全靴の最も好ましい実施の形態を図面に基づいて説明する。
【実施例】
【００１１】
図１は、本発明にかかる安全靴の平面図、図２は安全靴の側面図、図３は安全靴の正面図、図４は安全靴の背面側図であって、図中符号１は安全靴を全体的に示す。
この安全靴１は、靴底２と、周縁部分が靴底２と中底３との間に固定された甲覆い革４とを有し、甲覆い革４は芯材（図示せず）が装着されたつま先を覆う部分５と、開閉可能な履き口部６とからなる。
履き口部６は、脚挿入口７と、この脚挿入口７の開口を開くための切り込み８と、この切り込み８を開閉するとともに切り込み８を閉じた状態に保持する締め具９を備えてなる。
【００１２】
上記甲覆い革４は、適当な靭性と厚みを有するメッシュ素材で、つま先を覆う部分５から甲部分１０ならびにかかと部分１１の表面を覆う状態に形成され、甲覆い革４の下端周縁部分は中底３と後述する靴底２との間に挟持された状態で貼り付けられている。
そして、甲覆い革４のかかと側部分には、履き口部６が形成されており、この履き口部６は、図７に示す足首部分１２の大きさをした脚挿入口７と、この脚挿入口７からつま先側に向けて脚の甲のなかほどまでにＵ形に切り込まれた上記切り込み８が一連に形成されている。
【００１３】
この切り込み８は、安全靴１を履くときに脚挿入口７を大きく開口させるためのもので、その内方部分には当該切り込み８を蓋する舌片状の甲当て片１４が設けてあり、切り込み８の上面にはこの切り込み８を閉じた状態に保持するための上記締め具９が設けてある。
締め具９は、切り込み８の長手方向に略直交する状態で、操作方向を異ならせた３本のバンド１５で形成されている。
【００１４】
各バンド１５の内、脚挿入口７側の２本のバンド１５は、切り込み８で左右に分けられた一方の甲覆い部分１６に基部が固定され、他方の甲覆い部分１６に設けられた折り返し環１７を挿通して折り返し、バンド１５の基端部側半部に設けられたフック状の面ファスナ部分１８に、バンド１５の先端側半部に設けられたループ状の面ファスナ部分１９を掛合させて貼り付けるようにしてある（図６参照）。
また、図６に示すように、つま先側のバンド１５は、一方の甲覆い部分１６に基部が固定されたバンド１５の先端側半部に設けられたループ状の面ファスナ部分１９を、他方の甲覆い部分１６に取り付けられたフック状の面ファスナ部分１８に掛合させて貼り付けるようになっており、両面ファスナ部分１８、１９で固定具１３を構成してある。
【００１５】
一方、靴底２の上方には中底３が設けられ、この中底３は薄いシート素材で形成されており、上記甲覆い革４の下端の周縁部は中底３と靴底２との間に挟持された状態で溶着若しくは接着により固定されている。
そして、靴底２は、例えば、ポリウレタン、ゴム等の可撓性を有する比較的硬度の高い材料により、図１乃至図３に示すように、靴底２のつま先側から小指側の側縁部分２０を甲覆い革４の小指側の側縁部分より外方に突出させるとともに、図１、図２、図７に示すように、靴底２のかかと側部分を甲覆い革４のかかと側の側縁部分より外方に突出するように形成して、靴底２が甲覆い革４の投影面積より大きくなるようにしてある。
【００１６】
上記のように甲覆い革４の投影面積より大きく形成された靴底２には、図５に示すように、靴底２の接地面のかかと部分１１からつま先部分にいたる間にわたって、1本の深い縦溝２１を形成し、つま先側にはこの縦溝２１に略平行な２本の深い縦溝２２を形成するとともに、この縦溝２１，２２に直交する複数の深い横溝２３を形成して、靴底２の接地面をブロック化してある。
【００１７】
上記のように構成された安全靴１は、締め具９を緩めて切り込み８部分を開き、大きく開口した脚挿入口７から脚をいれた後、締め具９を固定すると、安全靴１の脚への装着が完了する。
斯くして脚に装着された安全靴１で作業する場合、締め具９の各バンド１５の操作方向を異ならせてあるので、作業中に締め具９にある方向から力が作用し、一部のバンド１５が分離しても他方の操作方向から操作するバンド１５が、切り込み８が閉じている状態をしっかりと保持するので、作業中に安全靴が不意に脱げたりすることがなく、安全性が大幅に向上する。
【符号の説明】
【００１９】
１・・・安全靴
２・・・靴底
３・・・中底
４・・・甲覆い革
５・・・つま先を覆う部分
６・・・履き口部
７・・・脚挿入口
８・・・切り込み
９・・・締め具
１０・・・甲部分
１１・・・かかと部分
１２・・・足首部分
１３・・・固定具
１４・・・甲あて片
１５・・・バンド
１６・・・甲覆い部分
１７・・・折り返し部分
１８・・・フック状の面ファスナ部分
１９・・・ループ状の面ファスナ部分
２０・・・側縁部分
２１・２２・・・縦溝
２３・・・横溝
２４・・・側縁部分
【図１】
0005448773.tif 000002
【図２】
0005448773.tif 000003
【図３】
0005448773.tif 000004
【図４】
0005448773.tif 000005
【図５】
0005448773.tif 000006
【図６】
0005448773.tif 000007
【図７】
0005448773.tif 000008